(57)【要約】【課題】画像を出力する装置を操作するときにはユーザーに繁雑な操作を行わせることなく、使用料金の減額を行えるようにする。【解決手段】ユーザーが文書のスキャンを画像形成装置２０に対して指示すると、画像形成装置２０は、スキャンした文書を表す画像データを生成し、ユーザーに対して提供する広告のＵＲＬを広告サーバー装置３０から取得する。画像形成装置２０は、取得したＵＲＬをユーザーの端末装置１０へ送信する。端末装置１０が取得したＵＲＬへのアクセスを指示する操作が端末装置１０において行われると、端末装置１０は、広告サーバー装置３０から広告のコンテンツを取得して表示する。管理サーバー装置４０は、画像形成装置２０の使用料金を計算し、ユーザーが広告を閲覧した場合、広告の閲覧に応じた金額を使用料金から減額して請求する。【選択図】図１
2017059977.tif 000002
【特許請求の範囲】
【請求項１】
ユーザーからの指示により画像を出力する画像出力手段と、
前記画像出力手段が画像を出力した場合、前記ユーザーへ提供する広告のコンテンツを決定する決定手段と、
前記決定手段が決定したコンテンツのアドレスを、前記画像出力手段が出力する画像に当該アドレスを含める装置又は前記ユーザーの端末装置へ提供する提供手段と、
前記アドレスを受信し、受信したアドレスで特定されるコンテンツを、当該アドレスを送信した装置へ送信する送信手段と、
前記画像出力手段による前記画像の出力に対して請求する料金を計算する第１計算手段と、
前記送信手段が前記コンテンツを送信した場合、前記第１計算手段が計算した料金から減額する料金を計算する第２計算手段と、
前記ユーザーへ請求する料金を前記第１計算手段が計算した料金と前記第２計算手段が計算した料金を用いて計算する第３計算手段と
を備える情報処理システム。
【請求項２】
前記決定手段は、前記画像出力手段が出力する画像の量に対応した量のコンテンツを決定する
請求項１に記載の情報処理システム。
【請求項３】
前記アドレスで特定されるコンテンツを、前記アドレスを受信した日又は時刻から特定されるコンテンツに変更する変更手段
を備える請求項１又は請求項２に記載の情報処理システム。
【請求項４】
前記決定手段が決定したコンテンツを前記端末装置へ送信する期限日と、前記第３計算手段が料金を計算する締め日とが同日である
請求項１から請求項３のいずれか一項に記載の情報処理システム。
【請求項５】
ユーザーからの指示により画像を出力する画像出力手段が画像を出力した場合、前記ユーザーへ提供する広告のコンテンツを決定する決定手段と、
前記決定手段が決定したコンテンツのアドレスを、前記画像出力手段が出力する画像に当該アドレスを含める装置又は前記ユーザーの端末装置へ提供する提供手段と、
前記アドレスを受信し、受信したアドレスで特定されるコンテンツを、当該アドレスを送信した装置へ送信する送信手段と、
前記画像出力手段による前記画像の出力に対して請求する料金を計算する第１計算手段と、
前記送信手段が前記コンテンツを送信した場合、前記第１計算手段が計算した料金から減額する料金を計算する第２計算手段と、
前記ユーザーへ請求する料金を前記第１計算手段が計算した料金と前記第２計算手段が計算した料金を用いて計算する第３計算手段と
を備えるサーバー装置。
【請求項６】
コンピュータを、
ユーザーからの指示により画像を出力する画像出力手段が画像を出力した場合、前記ユーザーへ提供する広告のコンテンツを決定する決定手段と、
前記決定手段が決定したコンテンツのアドレスを、前記画像出力手段が出力する画像に当該アドレスを含める装置又は前記ユーザーの端末装置へ提供する提供手段と、
前記アドレスを受信し、受信したアドレスで特定されるコンテンツを、当該アドレスを送信した装置へ送信する送信手段と、
前記画像出力手段による前記画像の出力に対して請求する料金を計算する第１計算手段と、
前記送信手段が前記コンテンツを送信した場合、前記第１計算手段が計算した料金から減額する料金を計算する第２計算手段と、
前記ユーザーへ請求する料金を前記第１計算手段が計算した料金と前記第２計算手段が計算した料金を用いて計算する第３計算手段
として機能させるためのプログラム。
【発明の詳細な説明】
【技術分野】
【０００１】
本発明は、情報処理システム、サーバー装置及びプログラムに関する。
【背景技術】
【０００２】
スキャナで読み取った画像に対して広告の画像を挿入する発明として、例えば特許文献１に開示された画像処理システムがある。この画像処理システムにおいては、ユーザーは、スキャンサービスを利用する場合、通常スキャンを行うか広告スキャンを行うか事前に選択する。ユーザーが広告スキャンを選択した場合、使用料金が減額される。
【先行技術文献】
【特許文献】
【０００３】
【特許文献１】特開２０１４−１７９９５０号公報
【発明の概要】
【発明が解決しようとする課題】
【０００４】
料金の減額がされる設定をユーザーが使用の前に行う構成の場合、使用の度に設定を行う必要があり、ユーザーに繁雑な操作を行わせることとなる。
【０００５】
本発明は、上述した背景の下になされたものであり、画像を出力する装置を操作するときにはユーザーに繁雑な操作を行わせることなく、使用料金の減額を行える技術を提供することを目的とする。
【課題を解決するための手段】
【０００６】
本発明の請求項１に係る情報処理システムは、ユーザーからの指示により画像を出力する画像出力手段と、前記画像出力手段が画像を出力した場合、前記ユーザーへ提供する広告のコンテンツを決定する決定手段と、前記決定手段が決定したコンテンツのアドレスを、前記画像出力手段が出力する画像に当該アドレスを含める装置又は前記ユーザーの端末装置へ提供する提供手段と、前記アドレスを受信し、受信したアドレスで特定されるコンテンツを、当該アドレスを送信した装置へ送信する送信手段と、前記画像出力手段による前記画像の出力に対して請求する料金を計算する第１計算手段と、前記送信手段が前記コンテンツを送信した場合、前記第１計算手段が計算した料金から減額する料金を計算する第２計算手段と、前記ユーザーへ請求する料金を前記第１計算手段が計算した料金と前記第２計算手段が計算した料金を用いて計算する第３計算手段とを備える。
【０００７】
本発明の請求項２に係る情報処理システムにおいては、前記決定手段は、前記画像出力手段が出力する画像の量に対応した量のコンテンツを決定する構成を備える。
【０００８】
本発明の請求項３に係る情報処理システムにおいては、前記アドレスで特定されるコンテンツを、前記アドレスを受信した日又は時刻から特定されるコンテンツに変更する変更手段を備える。
【０００９】
本発明の請求項４に係る情報処理システムにおいては、前記決定手段が決定したコンテンツを前記端末装置へ送信する期限日と、前記第３計算手段が料金を計算する締め日とが同日である。
【００１０】
本発明の請求項５に係るサーバー装置は、ユーザーからの指示により画像を出力する画像出力手段が画像を出力した場合、前記ユーザーへ提供する広告のコンテンツを決定する決定手段と、前記決定手段が決定したコンテンツのアドレスを、前記画像出力手段が出力する画像に当該アドレスを含める装置又は前記ユーザーの端末装置へ提供する提供手段と、前記アドレスを受信し、受信したアドレスで特定されるコンテンツを、当該アドレスを送信した装置へ送信する送信手段と、前記画像出力手段による前記画像の出力に対して請求する料金を計算する第１計算手段と、前記送信手段が前記コンテンツを送信した場合、前記第１計算手段が計算した料金から減額する料金を計算する第２計算手段と、前記ユーザーへ請求する料金を前記第１計算手段が計算した料金と前記第２計算手段が計算した料金を用いて計算する第３計算手段とを備える。
【００１１】
本発明の請求項６に係るプログラムは、コンピュータを、ユーザーからの指示により画像を出力する画像出力手段が画像を出力した場合、前記ユーザーへ提供する広告のコンテンツを決定する決定手段と、前記決定手段が決定したコンテンツのアドレスを、前記画像出力手段が出力する画像に当該アドレスを含める装置又は前記ユーザーの端末装置へ提供する提供手段と、前記アドレスを受信し、受信したアドレスで特定されるコンテンツを、当該アドレスを送信した装置へ送信する送信手段と、前記画像出力手段による前記画像の出力に対して請求する料金を計算する第１計算手段と、前記送信手段が前記コンテンツを送信した場合、前記第１計算手段が計算した料金から減額する料金を計算する第２計算手段と、前記ユーザーへ請求する料金を前記第１計算手段が計算した料金と前記第２計算手段が計算した料金を用いて計算する第３計算手段として機能させるためのプログラムである。
【発明の効果】
【００１２】
請求項１に係る情報処理システムによれば、画像を出力する装置を操作するときにはユーザーに繁雑な操作を行わせることなく、使用料金の減額を行うことができる。
請求項２に係る情報処理システムによれば、出力した画像の量に応じて広告のコンテンツの量を変更することができる。
請求項３に係る情報処理システムによれば、ユーザーへ提供する広告を動的に変更することができる。
請求項４に係る情報処理システムによれば、広告の閲覧をユーザーに促すことができる。
請求項５に係るサーバー装置によれば、画像を出力する装置を操作するときにはユーザーに繁雑な操作を行わせることなく、使用料金の減額を行うことができる。
請求項６に係るプログラムによれば、画像を出力する装置を操作するときにはユーザーに繁雑な操作を行わせることなく、使用料金の減額を行うことができる。
【図面の簡単な説明】
【００１３】
【図１】本発明の一実施形態に係る情報処理システム１に係る装置を示した図。
【図２】端末装置１０のハードウェア構成を示したブロック図。
【図３】端末装置１０において実現する機能の構成を示した機能ブロック図。
【図４】広告サーバー装置３０のハードウェア構成を示したブロック図。
【図５】広告情報テーブルＴＢ１１の一例を示した図。
【図６】広告サーバー装置３０において実現する機能の構成を示した機能ブロック図。
【図７】管理サーバー装置４０のハードウェア構成を示したブロック図。
【図８】ユーザー情報テーブルＴＢ２１の一例を示した図。
【図９】課金テーブルＴＢ２２の一例を示した図。
【図１０】ファイルテーブルＴＢ２３の一例を示した図。
【図１１】管理サーバー装置４０において実現する機能の構成を示した機能ブロック図。
【図１２】画像形成装置２０のハードウェア構成を示したブロック図。
【図１３】画像形成装置２０において実現する機能の構成を示した機能ブロック図。
【図１４】動作例を説明するためのシーケンス図。
【図１５】動作例を説明するためのシーケンス図。
【図１６】動作例を説明するためのシーケンス図。
【発明を実施するための形態】
【００１４】
［実施形態］
（全体構成）
図１は、本発明の一実施形態の情報処理システム１に係る装置を示した図である。通信回線２は、データ通信が行われる通信ネットワークであり、データ通信を行う複数のコンピュータ装置が接続される。通信回線２には、有線及び無線の通信ネットワークが含まれる。
【００１５】
画像形成装置２０は、用紙に画像を形成する画像形成機能や文書を読み取るスキャン機能、複写機能、ファクシミリ機能などを備えた装置である。本実施形態においては、画像形成装置２０は、コンビニエンスストアに設置され、使用する際には料金が発生する。画像形成装置２０は、通信回線２に接続されており、通信回線２を介して他のコンピュータ装置に接続し、データ通信を行う。また、画像形成装置２０は、無線ＬＡＮ、ＮＦＣ（Near Field Communication）、Ｂｌｕｅｔｏｏｔｈ（登録商標）などの無線通信の機能を備えており、無線通信により他のコンピュータ装置に接続してデータ通信を行う。画像形成装置２０は、情報処理システム１に複数含まれるが、図１においては、図面が煩雑になるのを防ぐため、一つの画像形成装置２０のみを示す。
【００１６】
端末装置１０は、データ通信を行う装置であり、本実施形態においては、スマートフォンやタブレット端末である。端末装置１０は、通信回線２に含まれている無線ＬＡＮ（Local Area Network）のアクセスポイントや移動体通信網の基地局にアクセスして通信回線２に接続し、通信回線２を介してデータ通信を行う。また、端末装置１０は、無線ＬＡＮ、ＮＦＣ、Ｂｌｕｅｔｏｏｔｈなどの無線通信の機能を備えており、無線通信により画像形成装置２０に接続してデータ通信を行う。本実施形態においては、複数の端末装置１０が画像形成装置２０に接続可能であるが、図１においては、図面が煩雑になるのを防ぐため、一つの端末装置１０のみを示す。
【００１７】
広告サーバー装置３０は、画像形成装置２０のユーザーに対して提供する広告や、提供した広告に関する情報を管理するコンピュータ装置である。広告サーバー装置３０は、通信回線２に接続されており、通信回線２を介して他のコンピュータ装置に接続してデータ通信を行う。
【００１８】
管理サーバー装置４０は、ユーザーによる画像形成装置２０の使用履歴や、情報処理システム１の使用を許可されたユーザーを認証するための情報、画像形成装置２０の使用により請求する金額の情報などの各種情報を管理するコンピュータ装置である。管理サーバー装置４０は、通信回線２に接続されており、通信回線２を介して他のコンピュータ装置に接続してデータ通信を行う。
【００１９】
情報処理システム１は、予め定められた企業の社員が画像形成装置２０を使用した場合、一月分の使用料金をまとめて企業に請求する。また、情報処理システム１は、予め定められた企業の社員が画像形成装置２０を使用した場合に広告を提供する広告サービスを提供する。情報処理システム１は、広告を閲覧するためのＵＲＬ（Uniform Resource Locator）を、画像形成装置２０を使用した社員に提供する。情報処理システム１は、提供されたＵＲＬを用いて社員が広告を閲覧した場合、使用料金を減額する。なお、画像形成装置２０は、設置されている店で料金を支払うことにより、予め定められた企業の社員以外でも使用することができる。
【００２０】
（端末装置１０の構成）
図２は、端末装置１０のハードウェア構成の一例を示した図である。タッチパネル１０３は、液晶ディスプレイなどの表示装置と、表示装置の表示面において指の接触を検出するセンサーとを組み合わせた装置である。タッチパネル１０３は、文字やＧＵＩ、メニュー画面などを表示する。また、タッチパネル１０３は、ユーザーが指で触れた位置をセンサーで検出する。制御部１０１は、タッチパネル１０３が検出した位置と、タッチパネルに表示されている画面に応じてユーザーの操作を特定し、特定した操作に応じて各部の制御や各種処理を実行する。
【００２１】
通信部１０５は、通信回線２に含まれている移動体通信網の無線基地局に対して無線通信を行う通信インターフェースとして機能する。音声処理部１０７は、マイクロフォンとスピーカを有している。音声処理部１０７は、端末装置１０が音声通話を行う場合、通話相手の音声に係るデジタル信号が通信部１０５から供給されると、供給されたデジタル信号をアナログ信号に変換する。このアナログ信号は、スピーカへ供給され、スピーカからは、通話相手の音声が放音される。また、音声処理部１０７は、マイクロフォンが音声を収音すると、収音した音声をデジタル信号に変換する。音声処理部１０７は、端末装置で音声通話を行う場合、ユーザーの音声を変換したデジタル信号を通信部１０５へ供給する。このデジタル信号は、通信部１０５から移動体通信網へ送信され、通話相手の端末装置へ送信される。
【００２２】
近距離通信部１０９は、無線ＬＡＮ、ＮＦＣ、Ｂｌｕｅｔｏｏｔｈなどの無線通信を行う通信インターフェースとして機能する。近距離通信部１０９は、無線ＬＡＮ、ＮＦＣ、Ｂｌｕｅｔｏｏｔｈのいずれかの通信で画像形成装置２０に接続してデータ通信を行う。
【００２３】
記憶部１０２は、データを永続的に記憶する不揮発性メモリーを有しており、オペレーティングシステムのプログラムやアプリケーションプログラムなどを記憶する。本実施形態においては、記憶部１０２は、タブレット端末やスマートフォンにインストールされる周知のアプリケーションプログラムに加え、画像形成装置２０、広告サーバー装置３０、管理サーバー装置４０と通信を行うアプリケーションプログラム（以下、クライアントアプリと称する）や、クライアントアプリが使用する各種情報を記憶する。例えば、記憶部１０２は、クライアントアプリが使用する情報として、情報処理システム１の使用を許可されたユーザーに付与されたユーザーＩＤと、ユーザーが情報処理システム１を使用する際の認証処理で使用するパスワードを記憶する。
【００２４】
制御部１０１は、ＣＰＵ（Central Processing Unit）やＲＡＭ（Random Access Memory）を備えており、オペレーティングシステムのプログラムやアプリケーションプログラムを実行する。
【００２５】
（端末装置１０の機能構成）
図３は、クライアントアプリを実行することにより端末装置１０において実現する機能のうち、本発明に係る特徴的な機能の構成を示した機能ブロック図である。
データ管理部１００１は、画像形成装置２０から取得した画像データやＵＲＬを記憶部１０２に記憶させる。
広告処理部１００２は、記憶部１０２に記憶されているＵＲＬのリストがタッチパネル１０３に表示されるようにタッチパネル１０３を制御する。広告処理部１００２は、タッチパネル１０３に表示されたリストにおいてＵＲＬが選択されると、選択されたＵＲＬで特定されるコンテンツを取得する。
アクセス部１００３は、近距離通信部１０９を制御し、ユーザー識別子やパスワードを画像形成装置２０へ送信する。
【００２６】
（広告サーバー装置３０の構成）
図４は、広告サーバー装置３０のハードウェア構成の一例を示したブロック図である。通信部３０５は、データ通信を行うための通信インターフェースとして機能し、通信回線２に接続されている。
【００２７】
記憶部３０２は、制御部３０１が実行するプログラムや、プログラムを実行した制御部３０１が使用する情報などを永続的に記憶する装置（例えばハードディスク装置）を有している。記憶部３０２が記憶するプログラムとしては、オペレーティングシステムのプログラムや、ユーザーに提供する広告に関する情報を処理するプログラムなどがある。また、記憶部３０２は、広告に関する情報として、画像形成装置２０のユーザーに提供する広告のコンテンツのデータや広告情報テーブルＴＢ１１を記憶する。
【００２８】
図５は、広告情報テーブルＴＢ１１の一例を示した図である。広告情報テーブルは、「広告ＩＤ」フィールド、「ＵＲＬ」フィールド、「ユーザーＩＤ」フィールド、「閲覧回数」フィールド及び「閲覧期限」フィールドを備える。「広告ＩＤ」フィールドは、画像形成装置２０を使用したユーザーに提供する広告を識別する識別子を格納する。「ＵＲＬ」フィールドは、画像形成装置２０を使用したユーザーに提供する広告のＵＲＬを格納する。「ユーザーＩＤ」フィールドは、広告が提供されるユーザーのユーザーＩＤを格納する。「閲覧回数」フィールドは、ユーザーが広告を閲覧した回数を格納する。「閲覧期限」フィールドは、ユーザーが広告を閲覧可能な期日を格納する。
【００２９】
制御部３０１は、ＣＰＵやＲＡＭを有しており、記憶部３０２に記憶されているプログラムを実行し、記憶部３０２や通信部３０５を制御する。
【００３０】
（広告サーバー装置３０の機能構成）
図６は、広告サーバー装置３０において実現する機能のうち、本発明に係る機能の構成を示したブロック図である。
広告管理部３００１は、記憶部３０２に記憶されている広告のコンテンツの中からユーザーへ提供する広告のコンテンツを決定し、決定したコンテンツのＵＲＬを画像形成装置２０へ送信する。広告管理部３００１は、ユーザーへ提供する広告のコンテンツを決定する決定手段の一例である。
広告制御部３００２は、端末装置１０から送信されたＵＲＬで特定されるコンテンツを端末装置１０へ送信する。広告制御部３００２は、ＵＲＬを送信した装置へ広告のコンテンツを送信する送信手段の一例である。
電子メール送信部３００３は、端末装置１０へ提供する広告のコンテンツのＵＲＬを、電子メールで端末装置１０へ送信する。電子メール送信部３００３は、ユーザーへ提供する広告のコンテンツのＵＲＬをユーザーの端末装置へ提供する提供手段の一例である。
【００３１】
（管理サーバー装置４０の構成）
図７は、管理サーバー装置４０のハードウェア構成の一例を示したブロック図である。通信部４０５は、データ通信を行うための通信インターフェースとして機能し、通信回線２に接続されている。
記憶部４０２は、制御部４０１が実行するプログラムや、プログラムを実行した制御部４０１が使用する情報などを永続的に記憶する装置（例えばハードディスク装置）を有している。記憶部４０２が記憶するプログラムとしては、オペレーティングシステムのプログラムや、情報処理システム１の使用を許可されたユーザーに関する情報を処理するプログラム（以下、管理プログラムと称する）などがある。また、記憶部４０２は、ユーザーのコンピュータ装置から予め送信された画像データを記憶する。この画像データを画像形成装置２０へ送信することにより、画像データが表す画像を用紙に形成して出力することができる。
【００３２】
また、記憶部４０２は、情報処理システム１の使用を許可されたユーザーの情報を格納したユーザー情報テーブルＴＢ２１、ユーザーが情報処理システム１を使用したことによりユーザーが所属する企業に対して請求する情報処理システム１の使用料金に関する情報を格納した課金テーブルＴＢ２２、情報処理システム１の使用履歴に関する情報を格納したファイルテーブルＴＢ２３を記憶する。
【００３３】
図８は、ユーザー情報テーブルＴＢ２１の一例を示した図である。ユーザー情報テーブルは、「企業ＩＤ」フィールド、「企業名」フィールド、「部門名」フィールド、「ユーザーＩＤ」フィールド及び「パスワード」フィールドを備える。「ユーザーＩＤ」フィールドは、情報処理システム１の使用を許可されたユーザーに付与されたユーザーＩＤを格納する。「企業ＩＤ」フィールドは、情報処理システム１の使用を許可されたユーザーが属する企業を識別する識別子を格納する。「企業名」フィールドは、情報処理システム１の使用を許可されたユーザーが属する企業の企業名を格納する。「部門名」フィールドは、情報処理システム１の使用を許可されたユーザーが企業において属する部門の部門名を格納する。「パスワード」フィールドは、情報処理システム１の使用を許可されたユーザーに付与されたユーザーのパスワードを格納する。
【００３４】
図９は、課金テーブルＴＢ２２の一例を示した図である。課金テーブルＴＢ２２は、「企業ＩＤ」フィールド、「部門名」フィールド、「使用料金」フィールド、「減額料金」フィールド及び「締め日」フィールドを備える。「企業ＩＤ」フィールドは、情報処理システム１の使用料金が請求される企業を識別する識別子を格納する。「部門名」フィールドは、情報処理システム１の使用料金が請求される企業の部門名を格納する。「使用料金」フィールドは、部門名の部門に属するユーザーが情報処理システム１を使用したことにより発生した使用料金を格納する。「減額料金」フィールドは、ユーザーが広告を閲覧したことにより使用料金から減額される料金を格納する。「締め日」フィールドは、情報処理システム１の使用料金の請求の締め日を格納する。
【００３５】
図１０は、ファイルテーブルＴＢ２３の一例を示した図である。ファイルテーブルＴＢ２３は、「ファイルＩＤ」フィールド、「ファイル名」フィールド、「ユーザーＩＤ」フィールドを備える。「ファイル名」フィールドは、ユーザーが予め管理サーバー装置４０に記憶させた画像データのファイル名を格納する。「ファイルＩＤ」フィールドは、ユーザーが予め管理サーバー装置４０に記憶させた画像データに付与された識別子を格納する。「ユーザーＩＤ」フィールドは、管理サーバー装置４０に画像データを記憶させたユーザーのユーザーＩＤを格納する。
【００３６】
制御部４０１は、ＣＰＵやＲＡＭを有しており、オペレーティングシステムのプログラムを実行し、記憶部４０２や通信部４０５を制御する。また、制御部４０１は、管理プログラムを実行する。
【００３７】
（管理サーバー装置４０の機能構成）
図１１は、管理サーバー装置４０において実現する機能のうち、本発明に係る機能の構成を示したブロック図である。
ユーザー管理部４００１は、ユーザーの認証処理や記憶部４０２に記憶されているテーブルの更新処理を行う。ユーザー管理部４００１は、情報処理システム１の使用料金から減額する料金を計算する第２計算手段の一例である。また、ユーザー管理部４００１は、ユーザーが属する企業に対して請求する料金を計算する第３計算手段の一例である。
データ管理部４００２は、ユーザーの端末装置１０から送られた画像データを記憶部４０２に記憶させる。また、データ管理部４００２は、記憶部４０２に記憶されている画像データを画像形成装置２０へ送信する。
【００３８】
（画像形成装置２０の構成）
図１２は、画像形成装置２０のハードウェア構成を示した図である。操作部２０４は、画像形成装置２０を操作するための複数のボタンやタッチスクリーンを備えている。通信部２０９は、通信回線２に接続されており、通信回線２接続されている他の装置とデータ通信を行う。通信部２０９は、用紙に形成する画像を示す画像データを他の装置から受信し、スキャン部２０６で読み取った文書を表す画像データを他の装置へ送信する。
【００３９】
スキャン部２０６は、文書を光学的に読み取り、読み取った文書の画像を表す画像データを生成する画像読取装置（図示略）を備えている。スキャン部２０６は、生成した画像データを制御部２０１へ出力する。画像処理部２０８は、制御部２０１から供給される画像データに各種処理を施すものである。画像処理部２０８は、供給される画像データが表す画像に色補正や階調補正等の画像処理を施し、画像処理が施された画像からＹｅｌｌｏｗ（Ｙ）、Ｍａｇｅｎｔａ（Ｍ）、Ｃｙａｎ（Ｃ）、Ｂｌａｃｋ（Ｋ）の各色の画像の画像データを生成して画像形成部２０７へ出力する。
【００４０】
画像形成部２０７は、電子写真方式によって用紙にトナー像を形成する。具体的には、画像形成部２０７は、Ｙｅｌｌｏｗの色のトナー像を形成する画像形成部、Ｍａｇｅｎｔａの色のトナー像を形成する画像形成部、Ｃｙａｎの色のトナー像を形成する画像形成部、Ｂｌａｃｋの色のトナー像を形成する画像形成部を備えている。各画像形成部は、画像処理部２０８が出力した画像データに従って感光体上に静電潜像を形成した後、感光体表面にトナーを付着させてＹ、Ｍ、Ｃ、Ｋの各色のトナー像を形成し、このトナー像を用紙に転写する。そして、用紙に転写されたトナー像に熱と圧力を加えて定着させた後、トナー像が形成された用紙を画像形成装置２０の外へ排出する。なお、画像形成部２０７は、本実施形態においてはトナーを用いて用紙に画像を形成するが、インクジェット方式などのインクを用いて用紙に画像を形成する構成としてもよい。
【００４１】
記憶部２０２は、データを永続的に記憶する記憶装置（例えば、ハードディスク装置）を有しており、通信部２０９が受信した画像データや、スキャン部２０６が生成した画像データなどを記憶する。近距離通信部２０３は、無線ＬＡＮ、ＮＦＣ、Ｂｌｕｅｔｏｏｔｈなどの無線通信を行う通信インターフェースとして機能する。近距離通信部２０３は、無線ＬＡＮ、ＮＦＣ、Ｂｌｕｅｔｏｏｔｈのいずれかの通信で端末装置１０に接続してデータ通信を行う。
【００４２】
制御部２０１は、ＣＰＵやＲＡＭ、不揮発性メモリーを備えており、不揮発性メモリーに記憶されているオペレーティングシステムのプログラムやアプリケーションプログラムを実行する。制御部２０１がアプリケーションプログラムを実行すると、端末装置１０、広告サーバー装置３０、管理サーバー装置４０と通信を行い、各種情報の授受を行う機能が実現する。
【００４３】
図１３は、画像形成装置２０において実現する機能のうち、本発明に係る機能の構成を示したブロック図である。
管理部２００１は、文書をスキャン部２０６に読み取らせて画像データを生成させ、生成された画像データを端末装置１０へ出力する。また、管理部２００１は、画像処理部２０８や画像形成部２０７を制御して用紙に画像を形成させ、画像が形成された用紙を出力する。管理部２００１は、画像を出力する画像出力手段の一例である。
また、管理部２００１は、広告サーバー装置３０から送信されるＵＲＬを取得し、取得したＵＲＬを端末装置１０へ送信する。管理部２００１は、広告のコンテンツのアドレスの一例であるＵＲＬを端末装置１０へ提供する提供手段の一例である。
ＵＩ部２００２は、操作部２０４からユーザーからの指示を取得する。また、ＵＩ部２００２は、端末装置１０から送信される情報を取得する。
計算部２００３は、ユーザーからの指示に応じて行ったスキャン処理や画像形成処理に対して請求する料金を計算する。計算部２００３は、本発明に係る第１計算手段の一例である。
加工部２００４は、端末装置１０へ送る画像データや用紙に形成される画像に広告のＵＲＬを含める処理を行う。
【００４４】
（実施形態の動作例）
次に本実施形態の動作の一例について、図１４〜図１６のシーケンス図を用いて説明する。
【００４５】
図１４は、ユーザーが画像形成装置２０のスキャン機能を使用するときの動作の一例を説明するためのシーケンス図である。ユーザーが、クライアントアプリを実行している端末装置１０を画像形成装置２０に近接させ、画像形成装置２０への接続を指示する操作を端末装置１０において行うと、アクセス部１００３は、記憶部１０２に記憶されているユーザーＩＤとパスワードを画像形成装置２０へ送信する（ステップＳ１）。ステップＳ１で送信されたユーザーＩＤ及びパスワードを近距離通信部２０３が受信すると、ＵＩ部２００２は、近距離通信部２０３が受信したユーザーＩＤ及びパスワードを含みユーザーの認証を要求するメッセージを管理サーバー装置４０へ送信する（ステップＳ２）。
【００４６】
ステップＳ２で送信されたメッセージを通信部４０５が受信すると、ユーザー管理部４００１は、ユーザーの認証処理を行う（ステップＳ３）。具体的には、ユーザー管理部４００１は、通信部４０５が受信したメッセージに含まれているユーザーＩＤ及びパスワードの組を格納したレコードがユーザー情報テーブルＴＢ２１にあるか判断する。ユーザー管理部４００１は、受信したメッセージに含まれているユーザーＩＤ及びパスワードの組を格納したレコードがユーザー情報テーブルＴＢ２１にある場合、ユーザーが広告サービスの提供を受ける企業の社員であると判定する。ユーザー管理部４００１は、ユーザーが広告サービスの提供を受ける企業の社員であると判定すると、ユーザーの認証要求を受理したことを通知するメッセージを画像形成装置２０へ送信する（ステップＳ４）。
【００４７】
ステップＳ４で送信されたメッセージを通信部２０９が受信すると、ＵＩ部２００２は、画像形成装置２０を操作するためのメニュー画面が表示されるように操作部２０４のタッチスクリーンを制御する（ステップＳ５）。次に、ユーザーが文書をスキャン部２０６にセットし、文書のスキャン処理を指示する操作を操作部２０４において行うと、ＵＩ部２００２は、スキャン処理の実行を管理部２００１に対して指示する（ステップＳ６）。
【００４８】
管理部２００１は、ＵＩ部２００２からの指示に応じてスキャン処理を実行する（ステップＳ７）。具体的には、管理部２００１は、スキャン部２０６を制御して文書を読み取らせ、スキャン部２０６が生成した画像データを取得する。管理部２００１は、スキャン処理を終了すると、ユーザーのユーザーＩＤを含み、広告を閲覧するためのＵＲＬを要求するメッセージを広告サーバー装置３０へ送信する（ステップＳ８）。
【００４９】
ステップＳ８で送信されたメッセージを通信部３０５が受信すると、広告管理部３００１は、記憶部３０２に記憶されている広告のコンテンツの中からユーザーへ提供する広告のコンテンツを決定し、決定したコンテンツのＵＲＬと、決定した広告の広告ＩＤを画像形成装置２０へ送信する（ステップＳ９）。
【００５０】
また、広告管理部３００１は、広告情報テーブルＴＢ１１を更新する（ステップＳ１０）。具体的には、広告管理部３００１は、ユーザーへ提供する広告のコンテンツの広告ＩＤ、ユーザーへ提供する広告のコンテンツのＵＲＬ、ステップＳ８で送信されたメッセージに含まれていたユーザーＩＤ及びユーザーへ提供する広告の閲覧期限を格納したレコードを、広告情報テーブルＴＢ１１において生成する。なお、この時点では、生成したレコードの閲覧回数フィールドには閲覧回数として「０」を格納する。
【００５１】
ステップＳ９で送信されたＵＲＬを通信部２０９が受信すると、管理部２００１は、ステップＳ７で生成した画像データを端末装置１０へ送信する（ステップＳ１１）。また、管理部２００１は、通信部２０９が受信したＵＲＬを端末装置１０へ送信する（ステップＳ１２）。
【００５２】
また、画像形成装置２０においては、計算部２００３は、スキャン処理により発生した使用料金を計算する（ステップＳ１３）。計算部２００３は、使用料金の計算が終了すると、ユーザーのユーザーＩＤと、計算した使用料金を管理サーバー装置４０へ送信する（ステップＳ１４）。また、管理部２００１は、スキャン処理により発生する使用料金の計算が終了すると、計算した使用料金が操作部２０４のタッチスクリーンに表示されるように操作部２０４を制御する（ステップＳ１５）。
【００５３】
端末装置１０においては、データ管理部１００１は、ステップＳ１１で送信された画像データを近距離通信部１０９が受信すると、受信した画像データを記憶部１０２に記憶させる（ステップＳ１６）。また、ステップＳ１２で送信されたＵＲＬを近距離通信部１０９が受信すると、データ管理部１００１は、受信したＵＲＬを記憶部１０２に記憶させる（ステップＳ１７）。
【００５４】
管理サーバー装置４０においては、ユーザー管理部４００１は、ステップＳ１４で送信されたユーザーＩＤ及び使用料金を通信部４０５が受信すると、課金テーブルＴＢ２２を更新する（ステップＳ１８）。具体的には、ユーザー管理部４００１は、通信部４０５が受信したユーザーＩＤが格納されているレコードをユーザー情報テーブルＴＢ２１において検索し、検索でヒットしたレコードに格納されている企業ＩＤと部門名を抽出する。次にユーザー管理部４００１は、抽出した企業ＩＤと部門名の組が格納されているレコードを課金テーブルＴＢ２２において検索し、検索でヒットしたレコードに格納されている使用料金に、通信部４０５が受信した使用料金を加算する。
【００５５】
ユーザーは、画像形成装置２０の使用を終了する場合、端末装置１０において、画像形成装置２０との接続の切断を指示する操作を行う。この操作が行われると、アクセス部１００３は、画像形成装置２０との接続を切断する（ステップＳ１９）。
【００５６】
なお、上述した動作例では、広告のコンテンツへのＵＲＬを画像形成装置２０からユーザーの端末装置１０へ送ることによりユーザーに提供しているが、ＵＲＬをユーザーへ提供する方法は、上述の動作例の方法に限定されるものではない。例えば、加工部２００４は、広告サーバー装置３０から送信されたＵＲＬを、スキャン処理により生成した画像データに埋め込み、ＵＲＬが埋め込まれた画像データをステップＳ１１で端末装置１０へ送信することにより、ＵＲＬをユーザーへ提供する構成としてもよい。
【００５７】
また、広告のコンテンツへのＵＲＬを電子メールでユーザーの端末装置１０へ送信する構成としてもよい。この構成の場合、例えばユーザー情報テーブルＴＢ２１は、電子メールアドレスのフィールドを備える。管理部２００１は、広告サーバー装置３０から送信されたＵＲＬと、ユーザーのユーザーＩＤを管理サーバー装置４０へ送信する。管理部２００１から送信されたＵＲＬとユーザーＩＤを通信部４０５が受信すると、ユーザー管理部４００１は、ユーザー情報テーブルＴＢ２１を参照し、受信したユーザーＩＤに対応付けて格納されている電子メールアドレスをユーザー情報テーブルＴＢ２１から取得する。ユーザー管理部４００１は、取得した電子メールアドレスを広告サーバー装置３０へ送信する。広告サーバー装置３０においては、電子メール送信部３００３が管理サーバー装置４０から送信された電子メールアドレスを取得すると、受信したＵＲＬを本文に含む電子メールを生成し、生成した電子メールを、取得した電子メールアドレスを宛先にして送信する。送信した電子メールをユーザーが所有する端末装置１０で受信することにより、ユーザーは、広告のコンテンツへのＵＲＬを取得する。
【００５８】
次に画像データが表す画像を用紙に形成して出力する場合の動作例について説明する。図１５は、ユーザーが画像形成装置２０の画像形成機能を使用するときの動作の一例を説明するためのシーケンス図である。なお、以下の説明においては、ユーザーが予め画像データを管理サーバー装置４０へ記憶させているものとする。
【００５９】
ユーザーが、クライアントアプリを実行している端末装置１０を画像形成装置２０に近接させ、画像形成装置２０への接続を指示する操作を端末装置１０において行うと、アクセス部１００３は、記憶部１０２に記憶されているユーザーＩＤとパスワードを画像形成装置２０へ送信する（ステップＳ３１）。ステップＳ３１で送信されたユーザーＩＤ及びパスワードを近距離通信部２０３が受信すると、ＵＩ部２００２は、近距離通信部２０３が受信したユーザーＩＤ及びパスワードを含みユーザーの認証を要求するメッセージを管理サーバー装置４０へ送信する（ステップＳ３２）。
【００６０】
ステップＳ３２で送信されたメッセージを通信部４０５が受信すると、ユーザー管理部４００１は、ユーザーの認証処理を行う（ステップＳ３３）。ここでユーザー管理部４００１は、通信部４０５が受信したメッセージに含まれているユーザーＩＤ及びパスワードの組を格納したレコードがユーザー情報テーブルＴＢ２１にあるか判断する。ユーザー管理部４００１は、受信したメッセージに含まれているユーザーＩＤ及びパスワードの組を格納したレコードがユーザー情報テーブルＴＢ２１にある場合、ユーザーが広告サービスの提供を受ける企業の社員であると判定する。ユーザー管理部４００１は、ユーザーが広告サービスの提供を受ける企業の社員であると判定すると、ユーザーの認証要求を受理したことを通知するメッセージを画像形成装置２０へ送信する（ステップＳ３４）。
【００６１】
ステップＳ３４で送信されたメッセージを通信部２０９が受信すると、ＵＩ部２００２は、画像形成装置２０を操作するためのメニュー画面が表示されるようにタッチパネル１０３を制御する（ステップＳ３５）。次にユーザーが、管理サーバー装置４０に記憶されている画像データの取得を指示する操作を操作部２０４において行うと、ＵＩ部２００２は、ユーザーＩＤを含み、画像データを要求するメッセージを管理サーバー装置４０へ送信する（ステップＳ３６）。
【００６２】
ステップＳ３６で送信されたメッセージを通信部４０５が受信すると、データ管理部４００２は、ユーザーが予め管理サーバー装置４０に記憶させた画像データを画像形成装置２０へ送信する（ステップＳ３７）。具体的には、データ管理部４００２は、通信部４０５が受信したメッセージに含まれているユーザーＩＤを抽出し、抽出したユーザーＩＤを含むレコードをファイルテーブルＴＢ２３から取得する。データ管理部４００２は、取得したレコードに含まれているファイル名の画像データを記憶部４０２から取得し、取得した画像データを画像形成装置２０へ送信する。
【００６３】
ステップＳ３７で送信された画像データを通信部２０９が受信すると、ＵＩ部２００２は、通信部２０９が受信した画像データのファイル名の一覧が表示されるように操作部２０４のタッチスクリーンを制御する（ステップＳ３８）。ユーザーが、表示された画像データの中から一つを選択し、選択した画像データの画像形成を指示する操作を操作部２０４において行うと、ＵＩ部２００２は、用紙への画像形成処理の実行を管理部２００１へ指示する（ステップＳ３９）。
【００６４】
管理部２００１は、ＵＩ部２００２からの指示を受けると、用紙への画像形成処理を実行する（ステップＳ４０）。ここで管理部２００１が、ユーザーが選択した画像データを画像処理部２０８へ供給し、画像形成部２０７を制御すると、画像が用紙に出力される。
【００６５】
管理部２００１は、画像形成処理を終了すると、ユーザーのユーザーＩＤを含み、広告を閲覧するためのＵＲＬを要求するメッセージを広告サーバー装置３０へ送信する（ステップＳ４１）。ステップＳ４１で送信されたメッセージを通信部３０５が受信すると、広告管理部３００１は、記憶部３０２に記憶されている広告のコンテンツの中からユーザーへ提供する広告のコンテンツを決定し、決定したコンテンツのＵＲＬと、決定した広告の広告ＩＤを画像形成装置２０へ送信する（ステップＳ４２）。
【００６６】
また、広告管理部３００１は、広告情報テーブルＴＢ１１を更新する（ステップＳ４３）。具体的には、広告管理部３００１は、ユーザーへ提供する広告のコンテンツの広告ＩＤ、ユーザーへ提供する広告のコンテンツのＵＲＬ、ステップＳ４１で送信されたメッセージに含まれていたユーザーＩＤ及びユーザーへ提供する広告の閲覧期限を格納したレコードを、広告情報テーブルＴＢ１１において生成する。なお、この時点では、生成したレコードの閲覧回数フィールドには閲覧回数として「０」を格納する。
【００６７】
ステップＳ４２で送信されたＵＲＬを通信部２０９が受信すると、管理部２００１は、通信部２０９が受信したＵＲＬを端末装置１０へ送信する（ステップＳ４４）。また、画像形成装置２０においては、計算部２００３は、スキャン処理により発生した使用料金を計算する（ステップＳ４５）。計算部２００３は、使用料金の計算が終了すると、ユーザーのユーザーＩＤと、計算した使用料金を管理サーバー装置４０へ送信する（ステップＳ４６）。管理部２００１は、スキャン処理により発生した使用料金の計算が終了すると、計算した使用料金が操作部２０４のタッチスクリーンに表示されるように操作部２０４を制御する（ステップＳ４７）。
【００６８】
端末装置１０においては、データ管理部１００１は、ステップＳ４４で送信されたＵＲＬを近距離通信部１０９が受信すると、受信したＵＲＬを記憶部１０２に記憶させる（ステップＳ４８）。
【００６９】
管理サーバー装置４０においては、ユーザー管理部４００１は、ステップＳ４６で送信されたユーザーＩＤ及び使用料金を通信部４０５が受信すると、課金テーブルＴＢ２２を更新する（ステップＳ４９）。具体的には、ユーザー管理部４００１は、通信部４０５が受信したユーザーＩＤが格納されているレコードをユーザー情報テーブルＴＢ２１において検索し、検索でヒットしたレコードに格納されている企業ＩＤと部門名を抽出する。次にユーザー管理部４００１は、抽出した企業ＩＤと部門名の組が格納されているレコードを課金テーブルＴＢ２２において検索し、検索でヒットしたレコードに格納されている使用料金に、通信部４０５が受信した使用料金を加算する。
【００７０】
ユーザーは、画像形成装置２０の使用を終了する場合、端末装置１０において、画像形成装置２０との接続の切断を指示する操作を行う。この操作が行われると、アクセス部１００３は、画像形成装置２０との接続を切断する（ステップＳ５０）。
【００７１】
なお、上述した動作例では、広告のコンテンツへのＵＲＬを画像形成装置２０からユーザーの端末装置１０へ送ることによりユーザーに提供しているが、ＵＲＬをユーザーへ提供する方法は、上述の動作例の方法に限定されるものではない。例えば、加工部２００４は、広告サーバー装置３０から送信されたＵＲＬを、用紙に形成する画像に埋め込み、ＵＲＬが埋め込まれた画像を用紙に形成して出力することにより、ＵＲＬをユーザーへ提供する構成としてもよい。また、画像形成処理を行った場合にも、上述したように、広告のコンテンツへのＵＲＬを電子メールでユーザーの端末装置１０へ送信する構成としてもよい。
【００７２】
次にユーザーが広告を閲覧するときの動作の一例について説明する。図１６は、ユーザーが広告を閲覧するときの動作を説明するためのシーケンス図である。なお、以下の説明においては、上述した図１４や図１５などの動作が行われ、端末装置１０に広告のＵＲＬが記憶されている場合を想定して動作例の説明を行う。
【００７３】
ユーザーが、クライアントアプリを実行している端末装置１０において、広告のＵＲＬの表示を指示する操作を行うと、広告処理部１００２は、記憶部１０２に記憶されているＵＲＬのリストが表示されるようにタッチパネル１０３を制御する（ステップＳ６１）。次にユーザーが表示されたリストの中から一つのＵＲＬを選択し、選択したＵＲＬへのアクセスを指示する操作をタッチパネル１０３において行うと、広告処理部１００２は、選択されたＵＲＬ、記憶部１０２に記憶されているユーザーＩＤ及びパスワードを含み、広告のコンテンツを要求するメッセージを広告サーバー装置３０へ送信する（ステップＳ６２）。
【００７４】
ステップＳ６２で送信されたメッセージを通信部３０５が受信すると、広告管理部３００１は、通信部３０５が受信したメッセージに含まれていたユーザーＩＤ及びパスワードを含みユーザーの認証を要求するメッセージを管理サーバー装置４０へ送信する（ステップＳ６３）。ステップＳ３２で送信されたメッセージを通信部４０５が受信すると、ユーザー管理部４００１は、ステップＳ３やステップＳ３３と同様にユーザーの認証処理を行う（ステップＳ６４）。ユーザー管理部４００１は、ユーザーが広告サービスの提供を受ける企業の社員であると判定すると、ユーザーの認証要求を受理したことを通知するメッセージを広告サーバー装置３０へ送信する（ステップＳ６５）。
【００７５】
ステップＳ６５で送信されたメッセージを通信部３０５が受信すると、広告管理部３００１は、広告情報テーブルＴＢ１１を更新する（ステップＳ６６）。具体的には、広告管理部３００１は、通信部３０５が受信したメッセージに含まれているＵＲＬとユーザーＩＤの両方が格納されているレコードを広告情報テーブルＴＢ１１において検索する。広告管理部３００１は、検索でレコードがヒットすると、ヒットしたレコードに格納されている閲覧期限と、この時点の日時とを比較する。広告管理部３００１は、この時点の日時が閲覧期限より前である場合、ヒットしたレコードの閲覧回数のフィールドの値に１を加算する。
【００７６】
広告情報テーブルＴＢ１１の更新が終了すると、広告制御部３００２は、通信部３０５が受信したメッセージに含まれているＵＲＬで特定される広告のコンテンツを記憶部３０２から取得し、取得したコンテンツを端末装置１０へ送信する（ステップＳ６７）。
【００７７】
次に広告管理部３００１は、ステップＳ６２で受信したメッセージに含まれていたユーザーＩＤと、広告の閲覧により使用料金から減額する料金を管理サーバー装置４０へ送信する（ステップＳ６８）。
管理サーバー装置４０においては、ステップＳ６８で送信されたユーザーＩＤと減額料金を通信部４０５が受信すると、ユーザー管理部４００１が課金テーブルＴＢ２２を更新する（ステップＳ６９）。具体的には、ユーザー管理部４００１は、受信したユーザーＩＤが格納されているレコードをユーザー情報テーブルＴＢ２１において検索し、検索でヒットしたレコードに格納されている企業ＩＤと部門名を抽出する。次にユーザー管理部４００１は、抽出した企業ＩＤと部門名の組が格納されているレコードを課金テーブルＴＢ２２において検索し、検索でヒットしたレコードに格納されている減額料金に、ステップＳ６９で送信された減額料金を加算する。
【００７８】
端末装置１０においては、広告処理部１００２は、ステップＳ６７で送信されたコンテンツを通信部１０５が受信すると、通信部１０５が受信したコンテンツが表示されるようにタッチパネル１０３を制御する（ステップＳ７０）。
【００７９】
情報処理システム１の運用者は、課金テーブルＴＢ２２に格納されている締め日に応じて情報処理システム１を利用する企業への請求金額を計算する。具体的には、ユーザー管理部４００１は、請求金額を計算する企業の企業ＩＤを格納しているレコードを課金テーブルＴＢ２２において検索する。ユーザー管理部４００１は、検索でヒットしたレコードに格納されている使用料金を合算し、検索でヒットしたレコードに格納されている減額料金を合算する。ユーザー管理部４００１は、合算した使用料金から合算した減額料金を減じて得られた金額を企業への請求金額とする。
【００８０】
以上説明したように本実施形態によれば、画像形成装置２０を操作するときにはユーザーに繁雑な操作を行わせることなく、使用料金を減額させることができる。
【００８１】
なお、上述の動作例では、ユーザーが端末装置１０に記憶されているＵＲＬを選択することにより広告が端末装置１０に表示され、使用料金が減額される構成となっているが、広告を表示して使用料金を減額する構成は、この構成に限定されるものではない。
例えば、端末装置１０がデジタルカメラの機能を備えており、広告のＵＲＬを用紙に画像形成して出力する構成の場合、用紙にあるＵＲＬを端末装置１０で撮影してＵＲＬを取得する。端末装置１０は、撮影して取得したＵＲＬ、記憶部１０２に記憶されているユーザーＩＤ及びパスワードを含み、広告のコンテンツを要求するメッセージを広告サーバー装置３０へ送信する。この構成でも、送信したＵＲＬに対応した広告のコンテンツを端末装置１０で閲覧し、画像形成装置２０の使用料金を減額させることができる。
【００８２】
また、スキャン処理で得た画像データにＵＲＬを含める構成の場合、端末装置１０は、広告のＵＲＬの表示を指示する操作が行われると、スキャン処理で取得した画像データに含まれているＵＲＬを画像解析により抽出し、抽出したＵＲＬのリストを表示する。端末装置１０は、ＵＲＬを選択し、選択したＵＲＬへのアクセスを指示する操作が行われると、選択されたＵＲＬ、記憶部１０２に記憶されているユーザーＩＤ及びパスワードを含み、広告のコンテンツを要求するメッセージを広告サーバー装置３０へ送信する。この構成でも、送信したＵＲＬに対応した広告のコンテンツを端末装置１０で閲覧し、画像形成装置２０の使用料金を減額させることができる。
【００８３】
また、電子メールで広告のＵＲＬが端末装置１０へ送信される構成の場合、端末装置１０は、広告のＵＲＬの表示を指示する操作が行われると、電子メールに記載されているＵＲＬを電子メールから取得し、取得したＵＲＬのリストを表示する。端末装置１０は、ＵＲＬを選択し、選択したＵＲＬへのアクセスを指示する操作が行われると、選択されたＵＲＬ、記憶部１０２に記憶されているユーザーＩＤ及びパスワードを含み、広告のコンテンツを要求するメッセージを広告サーバー装置３０へ送信する。この構成でも、送信したＵＲＬに対応した広告のコンテンツを端末装置１０で閲覧し、画像形成装置２０の使用料金を減額させることができる。
【００８４】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００８５】
本発明においては、スキャン処理で得られた画像や用紙に形成する画像に広告のコンテンツのＵＲＬの情報を含める場合、広告のコンテンツのＵＲＬを表す二次元コードを生成し、生成した二次元コードの画像を、スキャン処理で得られた画像や用紙に形成する画像に含めるようにしてもよい。
【００８６】
本発明においては、ユーザーへ提供する広告のコンテンツを決定する際にスキャン処理で読み取った文書や画像形成処理で出力した文書、画像形成装置２０を使用した日時、画像形成装置２０の位置に応じて、ユーザーへ提供する広告のコンテンツを決定してもよい。
【００８７】
例えば、画像形成装置２０は、広告を閲覧するためのＵＲＬを要求するメッセージを広告サーバー装置３０へ送信する際に、スキャン処理又は画像形成処理で処理した文書の量を表す情報をメッセージに含める。広告サーバー装置３０は、例えば、メッセージに含まれている情報が表す量が、予め定められた閾値未満の場合、再生時間が１分である動画の広告をユーザーへ提供する広告として決定し、予め定められた閾値以上の場合、再生時間が３分である動画の広告をユーザーへ提供する広告として決定する。
【００８８】
また、例えば、画像形成装置２０は、広告を閲覧するためのＵＲＬを要求するメッセージを広告サーバー装置３０へ送信する際に、スキャン処理した文書や画像形成処理で処理した文書の文字認識処理を行うことにより文書の内容を特定し、特定した内容を表す情報をメッセージに含める。広告サーバー装置３０は、メッセージに含まれている情報が表す内容に応じて、ユーザーへ提供する広告のコンテンツを決定する。例えば、文書の内容がスマートフォンに関係する内容の場合、広告サーバー装置３０は、ユーザーへ提供する広告のコンテンツとして、スマートフォンのアクセサリの広告のコンテンツを選択し、文書の内容がテーマパークに関係する内容の場合、ユーザーへ提供する広告のコンテンツとして、テーマパークの広告のコンテンツを選択する。
【００８９】
また、例えば、広告サーバー装置３０は、広告を閲覧するためのＵＲＬを要求するメッセージを受信した日時に応じて、ユーザーへ提供する広告のコンテンツの広告を選択してもよい。例えば、広告を閲覧するためのＵＲＬを要求するメッセージを受信した日時が７月である場合、ユーザーへ提供する広告のコンテンツとして、８月に企画されているマリンレジャーの広告のコンテンツを選択し、広告を閲覧するためのＵＲＬを要求するメッセージを受信した日時が１２月である場合、ユーザーへ提供する広告のコンテンツとして、スキー旅行の広告のコンテンツを選択してもよい。
【００９０】
また、例えば、広告サーバー装置３０は、ユーザーが使用した画像形成装置２０が設置されている位置に応じてユーザーへ提供する広告のコンテンツの広告を選択してもよい。例えば、広告サーバー装置３０は、画像形成装置２０の識別子と位置を対応付けて予め記憶する。画像形成装置２０は、広告を閲覧するためのＵＲＬを要求するメッセージに自身の識別子を含めて送信する。広告サーバー装置３０は、送信されたメッセージに含まれている識別子に対応付けて記憶されている位置を取得し、取得した位置に応じて、ユーザーへ提供する広告のコンテンツを選択する。例えば、広告サーバー装置３０は、取得した位置がショッピングセンター内の位置である場合、当該ショッピングセンターの広告のコンテンツをユーザーへ提供するコンテンツとして選択し、取得した位置がイベントホールに近接するコンビニエンスストアの位置である場合、当該イベントホールで行われるイベントの広告のコンテンツをユーザーへ提供する広告のコンテンツとして選択する。
【００９１】
本発明においては、広告情報テーブルＴＢ１１に格納する閲覧期限は、画像形成装置２０を使用したユーザーが属する企業の請求の締め日としてもよい。
【００９２】
広告サーバー装置３０は、ＵＲＬを含み、広告のコンテンツを要求するメッセージが送信されると、ユーザーへ提供する広告のコンテンツを動的に変更してもよい。例えば、広告サーバー装置３０（広告制御部３００２）は、広告のコンテンツを要求するメッセージを受信した時間や日付に応じて、ＵＲＬに対応した広告のコンテンツを変更し、時間や日付に対応した広告のコンテンツを端末装置１０へ送信する構成としてもよい。この変形例においては、広告制御部３００２は、ユーザーへ提供する広告のコンテンツを日や時刻に応じて変更する変更手段の一例として機能する。
【００９３】
本発明においては、ユーザーに提供する広告のコンテンツが動画像である場合、動画像をストリーム配信し、動画像の全データを送信し終えた場合、課金テーブルＴＢ２２を更新し、減額料金を計算するようにしてもよい。
【００９４】
本発明においては、広告情報テーブルＴＢ１１に格納されている閲覧期限の日付を超えても閲覧回数が０となっているレコードについては、広告のＵＲＬと広告ＩＤを変更し、変更後のＵＲＬに応じて閲覧期限を変更するようにしてもよい。これにより、閲覧期限前と閲覧期限後とでユーザーへ異なる広告のコンテンツを提供することができる。
【００９５】
本発明においては、広告サーバー装置３０において、広告を閲覧するためのＷｅｂページを設ける構成としてもよい。この構成においては、ユーザーが端末装置１０のＷｅｂブラウザを用いて広告サーバー装置３０へアクセスすると、ユーザーＩＤ及びパスワードを入力するための画面が端末装置１０において表示される。ユーザーがユーザーＩＤとパスワードを入力し、入力したユーザーＩＤとパスワードを広告サーバー装置３０へ送信する操作を行うと、情報処理システム１では、上述したステップＳ６３以降の処理を行う。この構成でも、ユーザーへ広告のコンテンツを提供し、画像形成装置２０の使用料金を減額することができる。
【００９６】
上述した実施形態においては、情報処理システム１は、広告サーバー装置３０と管理サーバー装置４０とを備える構成となっているが、広告サーバー装置３０と管理サーバー装置４０を一体化し、広告サーバー装置３０が行う処理と管理サーバー装置４０が行う処理を一つのサーバー装置で行うようにしてもよい。
【００９７】
本発明に係る各装置のプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリーなどのコンピュータ読取り可能な記録媒体に記憶した状態で提供し、インストールしてもよい。また、通信回線を介してプログラムをダウンロードしてインストールしてもよい。
【符号の説明】
【００９８】
１…情報処理システム、１０…端末装置、２０…画像形成装置、３０…広告サーバー装置、４０…管理サーバー装置、１０１…制御部、１０２…記憶部、１０３…タッチパネル、１０５…通信部、１０７…音声処理部、１０９…近距離通信部、２０１…制御部、２０２…記憶部、２０３…近距離通信部、２０４…操作部、２０６…スキャン部、２０７…画像形成部、２０８…画像処理部、２０９…通信部、３０１…制御部、３０２…記憶部、３０５…通信部、４０１…制御部、４０２…記憶部、４０５…通信部、１００１…データ管理部、１００２…広告処理部、１００３…アクセス部、２００１…管理部、２００２…ＵＩ部、２００３…計算部、２００４…加工部、３００１…広告管理部、３００２…広告制御部、３００３…電子メール送信部、４００１…ユーザー管理部、４００２…データ管理部
【図１】
2017059977.tif 000003
【図２】
2017059977.tif 000004
【図３】
2017059977.tif 000005
【図４】
2017059977.tif 000006
【図５】
2017059977.tif 000007
【図６】
2017059977.tif 000008
【図７】
2017059977.tif 000009
【図８】
2017059977.tif 000010
【図９】
2017059977.tif 000011
【図１０】
2017059977.tif 000012
【図１１】
2017059977.tif 000013
【図１２】
2017059977.tif 000014
【図１３】
2017059977.tif 000015
【図１４】
2017059977.tif 000016
【図１５】
2017059977.tif 000017
【図１６】
2017059977.tif 000018